(57)【要約】【課題】入力された音声信号に対して的確にスピーチ／非スピーチを判別することが可能な音声信号判別装置を提供する。【解決手段】入力された音声信号がもつミュージック性の度合を検出するミュージック性検出手段１１ａと、入力された音声信号がもつスピーチ性の度合を検出するスピーチ性検出手段１１ｂと、入力された音声信号がスピーチに対応するものか、非スピーチに対応するものかを判別するための判定を行うスピーチ／非スピーチ判定手段１２とを有する。スピーチ／非スピーチ判定手段１２は、ミュージック性検出手段１１ａの検出結果及びスピーチ性検出手段１１ｂの検出結果の両方に基づいて、スピーチ／非スピーチの判定を行う。【選択図】図１
2010231241.tif 000002
【特許請求の範囲】
【請求項１】
入力された音声信号がもつミュージック性の度合を検出するミュージック性検出手段と、入力された音声信号がもつスピーチ性の度合を検出するスピーチ性検出手段と、入力された音声信号がスピーチに対応するものか、非スピーチに対応するものかを判別するための判定を行うスピーチ／非スピーチ判定手段とを有する音声信号判別装置であって、前記スピーチ／非スピーチ判定手段は、前記ミュージック性検出手段の検出結果及び前記スピーチ性検出手段の検出結果の両方に基づいて、スピーチ／非スピーチの判定を行うことを特徴とする音声信号判別装置。
【請求項２】
前記スピーチ／非スピーチ判定手段は、前記スピーチ性検出手段の検出結果から前記ミュージック性検出手段の検出結果を減算した結果を用いて、スピーチ／非スピーチの判定を行うことを特徴とする請求項１に記載の音声信号判別装置。
【請求項３】
前記スピーチ／非スピーチ判定手段は、前記ミュージック性検出手段の検出結果及び前記スピーチ性検出手段の検出結果に基づき、スピーチ性の度合及びミュージック性の度合に応じて異なる計算式を用い、スピーチ／非スピーチの判定を行うことを特徴とする請求項２に記載の音声信号判別装置。
【請求項４】
前記スピーチ／非スピーチ判定手段は、前記ミュージック性検出手段の検出結果を所定数の段階に分類し、且つ前記スピーチ性検出手段の検出結果を前記所定数と同じ又は異なる所定数の段階に分類し、ミュージック性の度合及びスピーチ性の度合に応じた各分類の組み合わせ毎に異なる計算式を用い、スピーチ／非スピーチの判定を行うことを特徴とする請求項３に記載の音声信号判別装置。
【請求項５】
入力された音声信号がモノラル信号又はステレオ信号のいずれであるかを判定するモノラル／ステレオ判定手段を有し、前記スピーチ／非スピーチ判定手段は、前記モノラル／ステレオ判定手段の判定結果に基づいて、前記計算式の補正成分を調整することを特徴とする請求項３又は４に記載の音声信号判別装置。
【請求項６】
請求項１乃至５のいずれか１項に記載の音声信号判別装置を備えた音質調整装置であって、該音声信号判別装置によってスピーチ／非スピーチに判別された音声信号に対し、スピーチと非スピーチとで異なる音質に調整する音質調整手段を備えることを特徴とする音質調整装置。
【請求項７】
前記スピーチ／非スピーチ判定手段における判定結果を表示する判定結果表示手段を備え、該判定結果表示手段は、ユーザに対し、前記判定結果をスピーチ或いは非スピーチの度合に応じて段階的に表示することを特徴とする請求項６に記載の音質調整装置。
【請求項８】
前記音質調整手段は、前記スピーチ／非スピーチ判定手段の判定結果に基づく前記音質調整を実行するか否かを設定する調整設定手段を有し、前記判定結果表示手段は、前記調整設定手段によって前記音質調整を実行するよう設定されている場合にのみ、前記判定結果の表示を行うことを特徴とする請求項７に記載の音質調整装置。
【請求項９】
前記判定結果表示手段は、前記判定結果の表示を実行するか否かを設定する表示設定手段を有し、該表示設定手段によって前記判定結果表示を実行するよう設定されている場合にのみ、前記判定結果の表示を行うことを特徴とする請求項７又は８に記載の音質調整装置。
【請求項１０】
請求項７乃至９のいずれか１項に記載の音質調整装置とコンテンツ入力装置とを備えたコンテンツ表示装置であって、該コンテンツ入力装置で入力されたコンテンツに含まれる音声信号を前記音質調整装置に入力し、音質を調整して音声出力し、且つ、前記コンテンツに含まれる映像信号を表示すると共に、必要に応じて前記判定結果表示手段による判定結果表示を行うことを特徴とするコンテンツ表示装置。
【請求項１１】
ミュージック性検出手段が、入力された音声信号がもつミュージック性の度合を検出するミュージック性検出ステップと、スピーチ性検出手段が、入力された音声信号がもつスピーチ性の度合を検出するスピーチ性検出ステップと、スピーチ／非スピーチ判定手段が、入力された音声信号がスピーチに対応するものか、非スピーチに対応するものかを判別するための判定を行うスピーチ／非スピーチ判定ステップとを、コンピュータに実行させるためのプログラムであって、前記スピーチ／非スピーチ判定ステップは、前記ミュージック性検出ステップでの検出結果及び前記スピーチ性検出ステップでの検出結果の両方に基づいて、スピーチ／非スピーチの判定を行うことを特徴とするプログラム。
【請求項１２】
前記スピーチ／非スピーチ判定ステップは、前記スピーチ性検出ステップの検出結果から前記ミュージック性検出ステップの検出結果を減算した結果を用いて、スピーチ／非スピーチの判定を行うことを特徴とする請求項１１に記載のプログラム。
【請求項１３】
前記スピーチ／非スピーチ判定ステップは、前記ミュージック性検出ステップの検出結果及び前記スピーチ性検出ステップの検出結果に基づき、スピーチ性の度合及びミュージック性の度合に応じて異なる計算式を用い、スピーチ／非スピーチの判定を行うことを特徴とする請求項１２に記載のプログラム。
【請求項１４】
前記スピーチ／非スピーチ判定ステップは、前記ミュージック性検出ステップの検出結果を所定数の段階に分類し、且つ前記スピーチ性検出ステップの検出結果を前記所定数と同じ又は異なる所定数の段階に分類し、ミュージック性の度合及びスピーチ性の度合に応じた各分類の組み合わせ毎に異なる計算式を用い、スピーチ／非スピーチの判定を行うことを特徴とする請求項１３に記載のプログラム。
【請求項１５】
当該プログラムは、音質調整手段が前記スピーチ／非スピーチ判定ステップによりスピーチ／非スピーチに判別された音声信号に対しスピーチと非スピーチとで異なる音質に調整する音質調整ステップを、前記コンピュータに実行させるための調整プログラムを含むことを特徴とする請求項１１乃至１４のいずれか１項に記載のプログラム。
【請求項１６】
当該プログラムは、判定結果表示手段が前記スピーチ／非スピーチ判定ステップにおける判定結果を表示部に表示する判定結果表示ステップを、前記コンピュータに実行させるための表示プログラムを含み、該判定結果表示ステップは、ユーザに対し、前記判定結果をスピーチ或いは非スピーチの度合に応じて段階的に表示することを特徴とする請求項１１乃至１５のいずれか１項に記載のプログラム。
【請求項１７】
請求項１１乃至１６のいずれか１項に記載のプログラムを記録したコンピュータ読み取り可能な記録媒体。
【発明の詳細な説明】
【技術分野】
【０００１】
本発明は、音声信号判別装置、音質調整装置、コンテンツ表示装置、プログラム、及び記録媒体に関し、より詳細には、音声信号に対しスピーチ／非スピーチの判定を行う音声信号判定装置、その音声信号判定装置を備えた音質調整装置、その音質調整装置を備えたコンテンツ表示装置、それらのプログラム、及び、そのプログラムを記録したコンピュータ読み取り可能な記録媒体に関する。
【背景技術】
【０００２】
従来から、一般的なオーディオ装置では、低音域の出力周波数特性を調整するバス調整、高音域の出力周波数特性を調整するトレブル調整、低音域及び高音域を強調するラウドネス調整等の各種音質調整装置が設けられている。
【０００３】
このような音質調整装置としては、入力された音声信号の音声情報自体からその周期性の有無を検出することにより、入力された信号が音楽情報かそれ以外の情報かを判断し、その結果に応じて音響パラメータを制御するものも提案されている（例えば、特許文献１を参照）。
【先行技術文献】
【特許文献】
【０００４】
【特許文献１】特開昭６１−９３７１２号公報
【発明の概要】
【発明が解決しようとする課題】
【０００５】
しかしながら、特にテレビジョン放送やラジオ放送を受信する機器においては、音声情報だけから音楽情報の是非を判断すると思わぬ誤判定が生じる場合がある。
【０００６】
例えば、音楽番組でアカペラが流れた場合は、その作風のためにリズム感を検出することができずに、音楽情報ではないと判定し、この音楽情報に最適な音響パラメータをイコライザ等で選択しないという誤判定が生じる。その結果、この音楽情報は、イコライザの方で例えばスピーチに最適な音響パラメータ等を選択することも生じ得るので、生の音の響きを重視したいアカペラの音楽情報に対して、言葉の明瞭性を重視した（中音域を比較的強調した）音響特性で出力する結果となり、ユーザが本来聞きたい音響設定にならない。
【０００７】
また、ニュース番組を視聴中には、本来言語の明瞭性を重視したスピーチに最適なパラメータ等を選択するのが好適であるが、ニュースの内容によっては時にはアナウンサのスピーチと並行してニュースの取材現場で集音した音声をそのまま出力する場合もある。このような集音した音声情報に音楽が混在していると、その両者の音量のバランスによってはニュース番組のスピーチより、集音した音声から出力された音楽情報などが優位性を持つことも想定されるので、このような場合も、上述のアカペラの例とは逆の例として十分起こり得る問題点である。
【０００８】
そして、上述のごとき問題を解決し、入力音声信号に対し的確なスピーチ／非スピーチ判定を実行可能とした機器であっても、機器内部で判定並びにその判定に基づく音質調整を実行していることから、ユーザはどのような理由で音質が変更されたのかを理解できないといった問題が生じる。特に、このようなスピーチ／非スピーチ判定に基づく音質調整の結果として出力された音声がユーザ好みでなかった場合、ユーザは、音質調整の原因が分からず設定を変更することもできないので、不快感を抱かざるを得ない。
【０００９】
本発明は、上述のごとき実情に鑑みてなされたものであり、入力された音声信号に対して的確にスピーチ／非スピーチを判別することが可能な音声信号判別装置、その音声信号判別装置を備えた音質調整装置、その音質調整装置を備えたコンテンツ表示装置、それらのプログラム、及びそのプログラムを記録したコンピュータ読み取り可能な記録媒体を提供することをその目的とする。
【００１０】
また、本発明は、入力された音声信号に対してスピーチ／非スピーチを判定してその判定結果に基づき音質を調整する際に、その判定結果をユーザに視認させることが可能な音質調整装置、その音質調整装置を備えたコンテンツ表示装置、それらのプログラム、及びそのプログラムを記録したコンピュータ読み取り可能な記録媒体を提供することを他の目的とする。
【課題を解決するための手段】
【００１１】
本発明は、上述のごとき課題を解決するために、以下の各技術手段でそれぞれ構成される。
【００１２】
第１の技術手段は、入力された音声信号がもつミュージック性の度合を検出するミュージック性検出手段と、入力された音声信号がもつスピーチ性の度合を検出するスピーチ性検出手段と、入力された音声信号がスピーチに対応するものか、非スピーチに対応するものかを判別するための判定を行うスピーチ／非スピーチ判定手段とを有する音声信号判別装置であって、前記スピーチ／非スピーチ判定手段は、前記ミュージック性検出手段の検出結果及び前記スピーチ性検出手段の検出結果の両方に基づいて、スピーチ／非スピーチの判定を行うことを特徴としたものである。
【００１３】
第２の技術手段は、第１の技術手段において、前記スピーチ／非スピーチ判定手段は、前記スピーチ性検出手段の検出結果から前記ミュージック性検出手段の検出結果を減算した結果を用いて、スピーチ／非スピーチの判定を行うことを特徴としたものである。
【００１４】
第３の技術手段は、第２の技術手段において、前記スピーチ／非スピーチ判定手段は、前記ミュージック性検出手段の検出結果及び前記スピーチ性検出手段の検出結果に基づき、スピーチ性の度合及びミュージック性の度合に応じて異なる計算式を用い、スピーチ／非スピーチの判定を行うことを特徴としたものである。
第４の技術手段は、第３の技術手段において、前記スピーチ／非スピーチ判定手段は、前記ミュージック性検出手段の検出結果を所定数の段階に分類し、且つ前記スピーチ性検出手段の検出結果を前記所定数と同じ又は異なる所定数の段階に分類し、ミュージック性の度合及びスピーチ性の度合に応じた各分類の組み合わせ毎に異なる計算式を用い、スピーチ／非スピーチの判定を行うことを特徴としたものである。
【００１５】
第５の技術手段は、第３又は第４の技術手段において、入力された音声信号がモノラル信号又はステレオ信号のいずれであるかを判定するモノラル／ステレオ判定手段を有し、前記スピーチ／非スピーチ判定手段は、前記モノラル／ステレオ判定手段の判定結果に基づいて、前記計算式の補正成分を調整することを特徴としたものである。
【００１６】
第６の技術手段は、第１乃至第５のいずれか１の技術手段における音声信号判別装置を備えた音質調整装置であって、該音声信号判別装置によってスピーチ／非スピーチに判別された音声信号に対し、スピーチと非スピーチとで異なる音質に調整する音質調整手段を備えることを特徴としたものである。
第７の技術手段は、第６の技術手段において、前記スピーチ／非スピーチ判定手段における判定結果を表示する判定結果表示手段を備え、該判定結果表示手段は、ユーザに対し、前記判定結果をスピーチ或いは非スピーチの度合に応じて段階的に表示することを特徴としたものである。
【００１７】
第８の技術手段は、第７の技術手段において、前記音質調整手段は、前記スピーチ／非スピーチ判定手段の判定結果に基づく前記音質調整を実行するか否かを設定する調整設定手段を有し、前記判定結果表示手段は、前記調整設定手段によって前記音質調整を実行するよう設定されている場合にのみ、前記判定結果の表示を行うことを特徴としたものである。
第９の技術手段は、第７又は第８の技術手段において、前記判定結果表示手段は、前記判定結果の表示を実行するか否かを設定する表示設定手段を有し、該表示設定手段によって前記判定結果表示を実行するよう設定されている場合にのみ、前記判定結果の表示を行うことを特徴としたものである。
【００１８】
第１０の技術手段は、第７乃至第９のいずれか１の技術手段における音質調整装置とコンテンツ入力装置とを備えたコンテンツ表示装置であって、該コンテンツ入力装置で入力されたコンテンツに含まれる音声信号を前記音質調整装置に入力し、音質を調整して音声出力し、且つ、前記コンテンツに含まれる映像信号を表示すると共に、必要に応じて前記判定結果表示手段による判定結果表示を行うことを特徴としたものである。
【００１９】
第１１の技術手段は、ミュージック性検出手段が、入力された音声信号がもつミュージック性の度合を検出するミュージック性検出ステップと、スピーチ性検出手段が、入力された音声信号がもつスピーチ性の度合を検出するスピーチ性検出ステップと、スピーチ／非スピーチ判定手段が、入力された音声信号がスピーチに対応するものか、非スピーチに対応するものかを判別するための判定を行うスピーチ／非スピーチ判定ステップとを、コンピュータに実行させるためのプログラムであって、前記スピーチ／非スピーチ判定ステップは、前記ミュージック性検出ステップでの検出結果及び前記スピーチ性検出ステップでの検出結果の両方に基づいて、スピーチ／非スピーチの判定を行うことを特徴としたものである。
第１２の技術手段は、第１１の技術手段において、前記スピーチ／非スピーチ判定ステップは、前記スピーチ性検出ステップの検出結果から前記ミュージック性検出ステップの検出結果を減算した結果を用いて、スピーチ／非スピーチの判定を行うことを特徴としたものである。
【００２０】
第１３の技術手段は、第１２の技術手段において、前記スピーチ／非スピーチ判定ステップは、前記ミュージック性検出ステップの検出結果及び前記スピーチ性検出ステップの検出結果に基づき、スピーチ性の度合及びミュージック性の度合に応じて異なる計算式を用い、スピーチ／非スピーチの判定を行うことを特徴としたものである。
第１４の技術手段は、第１３の技術手段において、前記スピーチ／非スピーチ判定ステップは、前記ミュージック性検出ステップの検出結果を所定数の段階に分類し、且つ前記スピーチ性検出ステップの検出結果を前記所定数と同じ又は異なる所定数の段階に分類し、ミュージック性の度合及びスピーチ性の度合に応じた各分類の組み合わせ毎に異なる計算式を用い、スピーチ／非スピーチの判定を行うことを特徴としたものである。
【００２１】
第１５の技術手段は、第１１乃至第１４のいずれか１の技術手段において、当該プログラムは、音質調整手段が前記スピーチ／非スピーチ判定ステップによりスピーチ／非スピーチに判別された音声信号に対しスピーチと非スピーチとで異なる音質に調整する音質調整ステップを、前記コンピュータに実行させるための調整プログラムを含むことを特徴としたものである。
第１６の技術手段は、第１１乃至第１５のいずれか１の技術手段において、当該プログラムは、判定結果表示手段が前記スピーチ／非スピーチ判定ステップにおける判定結果を表示部に表示する判定結果表示ステップを、前記コンピュータに実行させるための表示プログラムを含み、該判定結果表示ステップは、ユーザに対し、前記判定結果をスピーチ或いは非スピーチの度合に応じて段階的に表示することを特徴としたものである。
【００２２】
第１７の技術手段は、第１１乃至第１６のいずれか１の技術手段におけるプログラムを記録したコンピュータ読み取り可能な記録媒体である。
【発明の効果】
【００２３】
本発明によれば、入力された音声信号に対して的確にスピーチ／非スピーチを判別することが可能となる。また、本発明によれば、入力された音声信号に対してスピーチ／非スピーチを判定してその判定結果に基づき音質を調整する際に、その判定結果をユーザに視認させることが可能となる。
【図面の簡単な説明】
【００２４】
【図１】本発明の一実施形態に係る音質調整装置の一構成例を示すブロック図である。
【図２】図１の音質調整装置における音質調整処理並びに判定結果表示処理の一例を説明するためのフロー図である。
【図３】図１の音質調整装置における音質調整処理で用いる音質設定イコライジングの一例を示す図である。
【図４】図２の判定結果表示処理における画面表示例を示す図である。
【図５】図１の音質調整装置における適用例の一つであるテレビ受像機の一構成例を示すブロック図である。
【図６】図５におけるマイコン内に格納されている計算式テーブルの一例を示す図である。
【図７】図５におけるマイコン内に格納されているマーク表示目標テーブルの一例を示す図である。
【図８】図５のテレビ受像機におけるスピーチ／非スピーチ判定及び判定結果表示処理を説明するためのフロー図である。
【図９】図５のテレビ受像機における判定結果表示処理を説明するためのフロー図である。
【図１０】図１の音質調整装置における判定結果表示の設定画面の一例を示す図である。
【図１１】図１の音質調整装置における判定結果表示の設定画面の一例を示す図である。
【図１２】図１の音質調整装置における判定結果表示の設定画面の一例を示す図である。
【図１３】一般的な情報処理装置の構成例を示すブロック図である。
【図１４】本発明の他の実施形態に係る音質調整装置の一構成例を示すブロック図である。
【図１５】図１４の音質調整装置における音質調整処理の一例を説明するためのフロー図である。
【図１６】図１４の音質調整装置における音質調整処理で用いる音質設定イコライジングの一例を示す図である。
【発明を実施するための形態】
【００２５】
本発明に係る音声信号判別装置は、ミュージック性検出手段、スピーチ性検出手段、及びスピーチ／非スピーチ判定手段を備えるものとする。以下、このような音声信号判別装置を備え、ここでの判別に基づいた音質調整を行う音質調整手段を備えた音質調整装置について説明するが、本発明に係る音声信号判別装置は、音質調整以外、例えば判別に基づいたコンテンツ（その音声信号を含むコンテンツ）の分別記録（録画）などにも適用可能である。
【００２６】
また、本発明に係る音質調整装置は、このような音声信号判別装置に加え、音質調整手段、及び好ましくは判定結果表示手段を備えるものとする。以下、本発明の説明にあたり、スピーチ／非スピーチ判定に際して、モノラル／ステレオ判定並びにその判定結果に基づきスピーチ／非スピーチ判定における判断基準を最適化するといった好適な例を挙げて説明するが、本発明ではこのようなモノラル／ステレオ判定及び最適化を実行しない形態も当然採用可能である。このような他の実施形態として、モノラル／ステレオ判定及び最適化の代わりに有音／無音判定を行う形態についても説明するが、当然モノラル／ステレオ判定及び最適化と有音／無音判定とを併用する形態を採用してもよい。
【００２７】
図１は、本発明の一実施形態に係る音質調整装置の一構成例を示すブロック図で、図中、１は音質調整装置、１０は音声信号入力手段、１１ａはミュージック性検出手段、１１ｂはスピーチ性検出手段、１２はスピーチ／非スピーチ判定手段、１３はモノラル／ステレオ判定手段、１４は基準最適化手段、１４ａはスイッチ、１４ｂは閾値（スレッショルド）ＶＳＬ１への設定手段、１４ｃは閾値ＶＳＬ２への設定手段、１５は音質調整手段、１６は音声信号出力手段、１７は判定結果表示手段である。
【００２８】
ミュージック性検出手段１１ａは、入力された音声信号がもつミュージック性の度合を検出する手段で、非スピーチ性判定手段とも言える。スピーチ性検出手段１１ｂは、入力された音声信号がもつスピーチ性の度合を検出する手段で、スピーチ性判定手段とも言える。ミュージック性とは音声信号が音楽の信号である可能性を示し、スピーチ性とは音声信号が会話などを含む信号である可能性を示す。ミュージック性検出手段１１ａ及びスピーチ性検出手段１１ｂは、その全体又は一部をハードウェアで構成してもソフトウェアで構成してもよい。
【００２９】
スピーチ／非スピーチ判定手段１２は、音声信号入力手段１０で入力された音声信号がスピーチに対応するものか、非スピーチに対応するものかを判別するための判定を行う。音声信号入力手段１０では、その入力元や入力方法は問わない。また、スピーチ／非スピーチ判定手段１２も、その全体又は一部をハードウェアで構成してもソフトウェアで構成してもよい。
【００３０】
そして、本発明におけるスピーチ／非スピーチ判定手段１２は、ミュージック性検出手段１１ａの検出結果及びスピーチ性検出手段１１ｂの検出結果に基づき、スピーチ性の度合及びミュージック性の度合に応じて異なる計算式を用い、スピーチ／非スピーチの判定を行う。従って、例えば、スピーチ性の度合を０〜１００及びミュージック性の度合も０〜１００で検出した場合、スピーチ／非スピーチの判定は１０１×１０１通りの検出結果を閾値処理などして実行する。
【００３１】
このような判定は煩雑であることから、より好ましくは、スピーチ／非スピーチ判定手段１２は、まず、ミュージック性検出手段１１ａの検出結果を、予め分類した所定数の段階のどの段階に該当するかを判定し、且つスピーチ性検出手段１１ｂの検出結果をその所定数と同じ又は異なる所定数の予め分類した段階のどの段階に該当するかを判定する。そして、スピーチ／非スピーチ判定手段１２は、ミュージック性の度合及びスピーチ性の度合に応じた各分類の組み合わせ毎に異なる計算式を用い、スピーチ／非スピーチの判定を行う。例えば、ミュージック性・スピーチ性共に３つずつの段階に分類していた場合、３×３の９通りの計算式が用いられ、ミュージック性・スピーチ性の検出結果に基づきこれらの計算式が選択され計算がなされる。
【００３２】
また、スピーチ／非スピーチ判定手段１２では、「ニュース番組などは一般的にモノラル放送が多く、一方で音楽が流れるＣＭや音楽番組はステレオ放送に設定されていることが多い」といった経験則を利用し、音声信号に重畳されたモノラル／ステレオ信号を検出することによって、現在放送されている番組がスピーチ／非スピーチ（音楽）のいずれに好適かを判断することが好ましい。このため、ここで説明する音質調整装置は、モノラル／ステレオ判定手段１３及び基準最適化手段１４を備え、これらの手段によってスピーチ／非スピーチ判定を最適化し、その判定に基づき上述の計算式或いは他の計算式の音響パラメータの制御を行っている。
【００３３】
モノラル／ステレオ判定手段１３は、入力された音声信号が、モノラル信号又はステレオ信号のいずれであるかを判定する。モノラル／ステレオ判定手段１３も、その全体又は一部をハードウェアで構成してもソフトウェアで構成してもよく、また、単に音声信号を入力した際のモノラル／ステレオの切り替えなどの情報によって判定してもよい。さらに、音声信号の元のコンテンツが電子プログラムガイド（ＥＰＧ）に掲載され予約録画可能なようになっている場合などには、ＥＰＧにおけるモノラル／ステレオの情報も共に掲載されているので、その情報を取得することでモノラル／ステレオ判定を行うことも可能である。
【００３４】
基準最適化手段１４は、モノラル／ステレオ判定手段１３での判定結果に基づいて、スピーチ／非スピーチ判定手段１２における判定基準を最適化する。この最適化は、上述の計算式の補正項（補正成分）のパラメータを変更することで行ってもよいし、その他、例えば上述の計算式による計算後の閾値処理などの閾値のパラメータ（例えば後述のＶＳＬ１，ＶＳＬ２）を変更することで行っても、これら双方変更することを行ってもよい。このように、モノラル／ステレオ判定によりスピーチ自動検出機能の判定基準を最適化させることで、検出機能の精度を向上させることができる。従って、入力された音声信号に対して的確にスピーチ／非スピーチを判別すること、すなわち音声信号のモノラル／ステレオの信号に応じて好適なスピーチ／非スピーチ検出が可能となる。
【００３５】
例えば、ニュース等のモノラル信号時はスピーチと判定し易く、またＢＧＭを含めた音楽が多いステレオ信号時は非スピーチと判定し易くなるように最適化制御を行うことができる。また、この例では、音声信号のスピーチ／非スピーチの判定を的確に行うためにその音声信号に対してモノラル／ステレオ判定及び基準最適化が予めなされていることを前提とするが、ディレイなどを用いてもよいし、単に、音声信号が入力される度に、逐次、モノラル／ステレオ判定及び基準最適化を行ってスピーチ／非スピーチ判定を行っていってもよい。
【００３６】
また、ミュージック性検出手段１１ａやスピーチ性検出手段１１ｂにおける検出は、入力された音声信号に対して複数の信号解析を施すことによって行うようにすることが好ましい。信号解析としては、例えば、信号の対時間エネルギー変化解析，音節の均一解析，周波数対音声強度の解析などである。このような信号解析により、例えば、（Ｉ）信号の対時間エネルギー変化，（ＩＩ）周波数対音声強度，（ＩＩＩ）母音と子音の順序，（ＩＶ）音節の長さ，（Ｖ）子音と母音のエネルギー量などが得られる。そして、ミュージック性検出手段１１ａとスピーチ性検出手段１１ｂとの差として、これらの信号解析の一部又は全部のパラメータを異ならしめるようにすればよい。
【００３７】
そして、これらの検出結果に基づいて、最終的に例えば次のような点を考慮して、スピーチ／非スピーチが判定されるようにするとよい。（Ｉ）スピーチには、音節（音声エネルギーが高い）と音節との間に、音声エネルギーが低い区分が存在し、非スピーチにはこのような区分は存在しないことが多い。（ＩＩ）スピーチが１００Ｈｚ〜３ｋＨｚの中域の強度が強く、非スピーチが低域及び高域の強度が強い。（ＩＩＩ）スピーチは、音節内の順序が子音から母音へと続く場合が多い。（ＩＶ）スピーチは、音節の長さが均一の場合が多い。（Ｖ）スピーチは、母音のエネルギー量が子音のエネルギー量より大きい場合が多い。さらに、（Ｉ）〜（Ｖ）に対し、重み付けを行って合算し、統計処理を施すなどして、最終的な信号解析の結果を得、その数値をモノラルの場合にはそれ用の閾値ＶＳＬ１でステレオの場合はそれ用の閾値ＶＳＬ２で判定することで、スピーチ／非スピーチの判定（例えばスピーチの可能性等の度合の判定）を行えばよい。他の方法として、基準最適化手段１４が、スピーチ／非スピーチの判定基準としての各信号解析に対する閾値のセットを、モノラル／ステレオ判定に基づいて変更するようにしてもよい。
【００３８】
音質調整手段１５は、上述のごとき構成によってスピーチ／非スピーチに判別された音声信号に対し、少なくともスピーチと非スピーチとで異なる音質に調整する。ここでの音質設定の方法は任意であり、スピーチ／非スピーチの可能性などの度合により、その設定値や増減の設定値、或いは各周波数帯での設定値などが異なっていればよい。例えば、グラフィックイコライザのごときイコライザの中心周波数とフィルタのＱ値（グラフィックイコライザの１つの帯域分のカーブにおける山，谷の鋭さ）が固定されている音質設定や、パラメトリックイコライザのごとくこれらも変更可能な音質設定であってもよい。そして、音声信号出力手段１６は、音質調整手段１５で調整された音声信号を出力する。
【００３９】
そして、本発明の特徴となる判定結果表示手段１７は、ユーザに対し、スピーチ／非スピーチ判定手段１２における判定結果を、スピーチ或いは非スピーチの度合（例えば、スピーチ部分の割合やスピーチである可能性）に応じて段階的に表示する。実際、スピーチ／非スピーチ判定手段１２においては、上述のごとくスピーチ性及び非スピーチ性（ミュージック性）を検出し、その検出結果に応じて、計算式を選択し、その計算式での計算結果を所定の閾値で閾値処理し、スピーチであるか／非スピーチであるかの判定を下す。判定結果表示手段１７では、このようなスピーチ／非スピーチの判定結果を、そのレベル（例えばスピーチの度合）に応じて段階的に表示するようにしてもよい。このような段階的表示を行う際には、併せて複数段階の閾値処理（モノラル／ステレオの度合いに応じて少なくとも２セット以上の閾値群を用意しておくとよい）を行っておくなどして、各段階に応じた音質に調整するようにしておくことで、より段階的表示が効果的となる。
【００４０】
また、判定結果表示手段１７では、このようなスピーチ／非スピーチの判定の元となるスピーチ性検出結果或いはミュージック性（ミュージック信号）検出結果を、その検出レベル（例えばスピーチの度合）に応じて段階的に表示するようにしてもよい。また、このような場合には、判定結果の表示のみにスピーチ性検出結果及びミュージック性検出結果の双方を用い、音質調整にはスピーチ性検出結果をそのままスピーチ／非スピーチの判定結果として採用してもよい。但し、この場合、音質調整の元となるデータと判定結果のデータとが例えば音楽番組などで異なることとなってしまうが、その差異が視聴者に分からない程度（例えば放送内容と合う程度）となるような工夫を行う必要がある。
【００４１】
また、音質調整手段１５は、スピーチ／非スピーチ判定手段１２の判定結果に基づく音質調整手段１５による音質調整を実行するか否かを設定する調整設定手段を有するようにしてもよい。なお、スピーチ／非スピーチ判定以外に起因する音質調整については別途設定するなどすればよい。この調整設定手段ではユーザ操作により設定させることとなる。そして、ここでいう設定とは、例えば、（ａ）音質調整をスピーチ／非スピーチ判定に基づき自動的に行うこと、（ｂ）音質調整を固定すること（所定のスピーチに対して行う音質調整とするなど）、（ｃ）音質調整（あくまでスピーチ／非スピーチ判定に基づく音質調整）を行わないこと、などの選択肢の中からユーザの選択操作によって設定となる。その調整設定手段におけるユーザ設定に基づき、音質調整手段１５では（ａ），（ｂ），（ｃ）のそれぞれに合致した音質調整を行い、判定結果表示手段１７では、（ａ）の場合には判定結果（検出結果）の表示、（ｂ），（ｃ）の場合には非表示とする。このように、判定結果表示手段１７では、調整設定手段によって音質調整を実行するよう設定されている場合にのみ、判定結果の表示を行えばよい。例えば、単に上述の（ｂ）のごときスピーチ用の音質調整を行うだけのときには判定結果を表示しないことになる。
【００４２】
さらに、判定結果表示手段１７は、判定結果の表示を実行するか否かを設定する表示設定手段を有するようにしてもよい。そして、判定結果表示手段１７では、表示設定手段によって判定結果表示を実行するよう設定されている場合にのみ、判定結果の表示を行えばよい。なお、この表示設定手段は上述の調整設定手段の具備の如何は問わず具備すればよいが、調整設定手段と共に具備する形態にあっては、判定結果表示手段１７は、調整設定手段で判定結果に基づく音質調整を実行する場合で、且つ判定結果表示を実行する場合でのみ、判定結果の表示を行うこととなる。
【００４３】
図２は、図１の音質調整装置における音質調整処理並びに判定結果表示処理の一例を説明するためのフロー図で、図３は、図１の音質調整装置における音質調整処理で用いる音質設定イコライジングの一例を示す図、図４は、図２の判定結果表示処理における画面表示例を示す図である。
【００４４】
簡略化のため、スピーチ／非スピーチにおける判定基準がある１つの閾値処理によってなされるものとして説明するが、複数段階の閾値処理を行う場合には以下の説明で閾値を閾値のセットと読みかえればよい。まず、音声信号が入力されると、モノラル／ステレオ判定手段１３によりモノラル／ステレオ判定がなされる（ステップＳ１）。この判定に際しては、例えば、Ｌを左入力信号、Ｒを右入力信号とすると、入力信号に（Ｌ−Ｒ）／（Ｌ＋Ｒ）の演算を実行し、位相差判定を実施するとよい。
【００４５】
この判定により、モノラル信号であると判定された場合には、基準最適化手段１４において、スイッチ１４ａを閾値ＶＳＬ１への設定手段１４ｂ側へ接続し、スピーチ／非スピーチ判定手段１２における判定の閾値をＶＳＬ１に設定する（ステップＳ２）。一方、ステップＳ１により、ステレオ信号であると判定された場合には、基準最適化手段１４において、スイッチ１４ａを閾値ＶＳＬ２への設定手段１４ｃ側へ接続し、スピーチ／非スピーチ判定手段１２における判定の閾値をＶＳＬ２に設定する（ステップＳ３）。このように閾値の設定を最適化することで、ニュース等のモノラル信号時はスピーチと判定し易く、またＢＧＭを含めた音楽が多いステレオ信号時は非スピーチと判定し易くなるように制御することができる。なお、基準最適化手段１４の構成は図示したものに限定されるものではない。
【００４６】
次に、ミュージック性検出手段１１ａ及びスピーチ性検出手段１１ｂが、ミュージック性の検出及びスピーチ性の検出をに実行する（ステップＳ４，Ｓ５）。ステップＳ４，Ｓ５の順序は問わない。そして、スピーチ／非スピーチ判定手段１２が、まず、ステップＳ４，Ｓ５での検出結果に基づいて計算式を選択して計算を実行し、さらにステップＳ２／Ｓ３のいずれかで設定された閾値ＶＳＬ１／ＶＳＬ２に基づいて、スピーチ／非スピーチの判定を行う（ステップＳ６）。そして、スピーチであると判定された場合には、音質設定Ａを選択して音質を調整する（ステップＳ７）。一方、ステップＳ６で非スピーチと判定された場合、音質設定Ｂを選択して音質を調整する（ステップＳ８）。
【００４７】
ここで、音質設定Ａと音質設定Ｂとの違いの例について、図３を参照して説明する。音質設定Ａ（スピーチ）の場合、イコライザの周波数特性をグラフ２１で示すように設定し、音質設定Ｂ（非スピーチ）の場合、イコライザの周波数特性をグラフ２２で示すように設定する。グラフ２１とグラフ２２との違いは、非スピーチのときはスピーチのときに比べて、所定の低周波数２２ａの付近及び所定の高周波数２２ｂの付近を強調している点にある。
【００４８】
ステップＳ７／Ｓ８の処理の前後（少なくともステップＳ６におけるスピーチ／非スピーチ判定の後）に、その判定結果を表示する（ステップＳ９）。この表示の方法としては音質調整装置にＬＥＤ表示するようにしてもよいし、音声信号が映像信号と共に入力されている場合には、例えば図４で例示するように、その映像信号を表示する画面３１上にＯＳＤ（Ｏｎ  Ｓｃｒｅｅｎ  Ｄｉｓｐｌａｙ）表示を行うようにしてもよい。
【００４９】
また、ステップＳ９における判定結果表示に際しては、スピーチ／非スピーチ判定によるスピーチ度合（或いは非スピーチ度合）が視認できるように、段階的に表示する。なお、ここでのスピーチ度合或いは非スピーチ度合は、ミュージック性検出手段１１ａ及びスピーチ性検出手段１１ｂが検出したミュージック性の度合及びスピーチ性の度合とは通常異なるものとする。なお、ここでの最低の段階表示処理としては、結果的に１つの閾値でスピーチ／非スピーチ判定の処理をして音質調整を実行する場合に対応させ、少なくともスピーチか非スピーチかの２段階で表示する。
【００５０】
以下、スピーチ度合をユーザに視認させるような例で説明すると、図４で例示したように、例えば、画面３１上に「スピーチ度合」を表す文字３２等を表示させると共に、スピーチ度合（スピーチ検出レベル）に応じた数のマーク３３を表示させるとよい。このマーク３３の数は、スピーチ度合に応じた数であってスピーチセンサマークとも呼べ、結果的に音質調整がどの位スピーチ寄りになされているかを示すものであり、マーク３３の例としてはグリーンの色で口を開けた人の顔をイメージしたスピーチマークを表示するなどすればよい。その他、例えばユーザ設定によって、色の選択や（例えば日本語はグリーン、英文字はオレンジ等）、形状の選択（スピーカマーク，サイン，コサインマーク，フラッシング点滅等）も可能としておいてもよい。なお、図４の例では、「スピーチ度合」を表す文字３２として、スピーチ／非スピーチ判定に基づく音質調整の名称（ここでは「いきいきボイス」と命名）を示している。また、このスピーチセンサマークの近隣にスピーチ／非スピーチの判定結果の確実性などをパーセンテージで表示するようにしてもよい。この確実性は、ミュージック性の検出結果とスピーチ性の検出結果があまりにも相反するものであった場合に低いものとすればよい。
【００５１】
また、判定結果表示に際しては、マーク３３のごとく画面３１の下部に顔イメージを横方向に表示するようにしてもよいし、自動又は手動によって表示位置を任意の位置に移動できるようにすること、さらには縦型表示／横型表示を変更することも可能としておくとよい。また、表示位置を移動する方法として、例えば画面の下部や上部に文字が表示された場合は、それらの文字と重ならない位置に移動できるようにするとよい。より具体的には、例えば、音声多重放送の日本語の吹き替え表示や画面の下部にデータ放送のニュース情報等の文字表示と重ならない位置などに移動すればよい。また、ＥＰＧから番組種別情報（例えば歌番組かそれ以外の番組）を取得して、歌番組の場合に表示の大きさを小さく又は大きくするとともに、画面に表示される歌詞の表示と重ならない位置に表示するなどの応用も可能である。
【００５２】
さらに、本発明は、上述のごとき音質調整装置とコンテンツ入力装置とを備えたコンテンツ表示装置（例えば、デジタル／アナログに限らずテレビジョン放送やラジオ放送の放送信号を受信する放送受信装置）にも適用可能である。このコンテンツ表示装置では、コンテンツ入力装置で入力されたコンテンツに含まれる音声信号を音質調整装置に入力し、音質を調整して音声出力し、且つ、コンテンツに含まれる映像信号を表示すると共に、必要に応じて判定結果表示手段１７による判定結果表示を行う。本発明に係るコンテンツ表示装置は、例えば、テレビジョン受信機をはじめ、コンテンツ再生プログラム，ビデオカード（ビデオアダプタともいう）等のモジュールを備えた汎用のパーソナルコンピュータ（以下、ＰＣと略す）などにも、後述するように適用可能である。また、本発明においては、コンテンツの配信及び放送形態は基本的に問わない。次に、音質調整装置を組み込んだコンテンツ表示装置の例としてテレビ受信機（テレビ受像機）を挙げて、より具体的に説明する。
【００５３】
図５は、図１の音質調整装置における適用例の一つであるテレビ受像機の一構成例を示すブロック図で、図６は、図５におけるマイコン内に格納されている計算式テーブルの一例を示す図で、図７は、図５におけるマイコン内に格納されているマーク表示目標テーブルの一例を示す図である。図５において、４はテレビ受像機本体、４０はチューナ部、４１は外部入力部、４２は本体操作部、４３は映像処理ＩＣ（Ｉｎｔｅｇｒａｔｅｄ  Ｃｉｒｃｕｉｔ）、４４は本体のマイクロコンピュータ（以下、マイコン）、４５は音声処理ＩＣ、４６はディスプレイ、４７Ｌは左スピーカ、４７Ｒは右スピーカ、４８は受光部、４９はリモートコントローラユニット（以下、リモコン）である。また、図６及び図７において、５１はマイコン４４内のＲＯＭ（Ｒｅａｄ  Ｏｎｌｙ  Ｍｅｍｏｒｙ）等に格納された計算式テーブル、５２はマイコン４４内のＲＯＭ等に格納されたスピーチセンサマーク表示目標テーブルである。
【００５４】
また、図８は、図５のテレビ受像機におけるスピーチ／非スピーチ判定及び判定結果表示処理を説明するためのフロー図で、図９は、図５のテレビ受像機における判定結果表示処理を説明するためのフロー図で、図２のフロー図における判定結果表示処理を抜粋して詳細に説明するためのフロー図でもある。さらに、図１０乃至図１２は、図１の音質調整装置における判定結果表示の設定画面の一例を示す図で、図１０は音声調整の設定項目例を、図１１は図１０の設定項目例のうちの本発明に係る音質調整に対する動作設定の項目例を、図１２は図１０の設定項目例のうちの本発明に係る音質調整に対する表示設定の項目例を、それぞれ示している。また、図１０乃至図１２において、６は音声調整の設定画面例、６１は設定メニュー一覧、６２は音声調整項目一覧、６３は動作設定項目、６４は表示設定項目である。
【００５５】
ここで例示するテレビ受像機本体４は、主として、制御手段の一例としての本体マイコン４４、アンテナ及びチューナ部４０や外部入力部４１などの映像・音声入力部、入力した映像信号に対し各種映像処理を施す映像処理ＩＣ４３、入力した音声信号に対し各種音声処理を施す音声処理ＩＣ４５、ユーザ操作を受け付ける本体操作部４２、映像処理した映像信号を映し出すＬＣＤ，ＰＤＰ，有機ＥＬ等のディスプレイ（表示デバイス）４６、音声処理した音声信号を出力する左右のスピーカ４７Ｌ，４７Ｒ、リモコン４９からの光を受光する受光部４８により構成される。そして、マイコン４４内のＲＯＭ等には、計算式テーブル５１及びスピーチセンサマーク表示目標テーブル５２が格納されているものとする。なお、マイコン４４及び音声処理ＩＣ４５（及び映像処理ＩＣ４３）は、システムＬＳＩ（Ｌａｒｇｅ  Ｓｃａｌｅ  Ｉｎｔｅｇｒａｔｅｄ  Ｃｉｒｃｕｉｔ）としても組み込むこともできる。
【００５６】
また、周期処理時間の設定を、テレビ受像機４における調整工程で設定しておく。この周期処理時間の設定は、本発明に係る判定結果表示処理を行うに際し、音声処理ＩＣ４５でなされるスピーチ／非スピーチの判定結果をマイコン４４で読み取る周期を設定する処理であり、例えば１００ｍｓ単位で読み取る設定しておくとよい。ここでは、例えば１００ｍｓ〜２０００ｍｓの間で可変としてもよく、調整工程だけでなくユーザ設定によっても可変としてもよい。このように読み取り時間をある程度固定しないと、判定結果表示の滑らかさに影響してしまう。実際にここで設定された周期で読み取られるデータ、すなわちスピーチ／非スピーチの判定結果のデータとしては、例えばレジスタの可動範囲として−１００〜０〜＋１００（ＦＦＦＦ９Ｃ〜００００００〜００００６４）を用意しておき、このレジスタの初期設定値を「００００００」としておく。そして、音質調整自体は、このレジスタ値が正方向でスピーチ、負方向で非スピーチの音質設定となるように制御しておく。なお、音質調整を行わないモードの時は、マイコン４４内部で強制的にスピーチの音質設定にするなどすればよいが、上述のスピーチ／非スピーチの判定結果のレジスタへの書込みは行わない。
【００５７】
また、音質設定の計算式は、図６で例示した次式などにより予め設定しておく。まず、スピーチ性検出結果を、（Ｉ）０≦ＳＰ結果≦ＳＰＥＥＣＨ  ＬＰ、（ＩＩ）ＳＰＥＥＣＨ  ＬＰ＜ＳＰ結果＜ＳＰＥＥＣＨ  ＨＰ、（ＩＩＩ）ＳＰＥＥＣＨ  ＨＰ≦ＳＰ結果、の３つの段階に分類分けしておく。ミュージック性検出結果は、（ｉ）０≦ＭＵ結果≦ＭＵＳＩＣ  ＬＰ，（ｉｉ）ＭＵＳＩＣ  ＬＰ＜ＭＵ結果＜ＭＵＳＩＣ  ＨＰ、（ｉｉｉ）ＭＵＳＩＣ  ＨＰ≦ＭＵ結果、の３つの段階に分類分けしておく。なお、例えば、ＳＰ結果はスピーチ性検出結果／８３８８６の整数部分を、ＭＵ結果はミュージック性検出結果／８３８８６の整数部分を採用すればよい。そして、ＳＰ結果及びＭＵ結果は、例えば０〜１００の範囲の値（００００００ｈ〜７ＦＦＦＦＦｈ）とすればよい。
【００５８】
そして、（Ｉ）且つ（ｉ）の場合、｜ＳＰ結果−ＭＵ結果｜＋α、（Ｉ）且つ（ｉｉ）の場合、｜ＳＰ結果−ＭＵ結果｜、（Ｉ）且つ（ｉｉｉ）の場合、−ＭＵ結果、（ＩＩ）且つ（ｉ）の場合、ＳＰ結果−ＭＵ結果、（ＩＩ）且つ（ｉｉ）の場合、｜ＳＰ結果−ＭＵ結果｜＋α、（ＩＩ）且つ（ｉｉｉ）の場合、ＳＰ結果−ＭＵ結果、（ＩＩＩ）且つ（ｉ）の場合、ＳＰ結果、（ＩＩＩ）且つ（ｉｉ）の場合、ＳＰ結果−ＭＵ結果＋α、（ＩＩＩ）且つ（ｉｉｉ）の場合、｜ＳＰ結果−ＭＵ結果｜＋α、といった計算式を用いる。
【００５９】
ここで、ＳＰＥＥＣＨ  ＬＰ、ＳＰＥＥＣＨ  ＨＰ、ＭＵＳＩＣ  ＬＰ、ＭＵＳＩＣ  ＨＰは０〜１００の範囲で、状態の境界線となり、ＭＯＮＯ、ＳＴＥは０〜１００の範囲でモノラル／ステレオ判定によるステレオ判定時「ＳＴＥ」、モノラル判定時「ＭＯＮＯ」の値を＋αとして計算結果に加算している。また、これらの値「ＳＰＥＥＣＨ  ＬＰ」「ＳＰＥＥＣＨ  ＨＰ」「ＭＵＳＩＣ  ＬＰ」「ＭＵＳＩＣ  ＨＰ」「ＭＯＮＯ」「ＳＴＥ」は、調整工程で用意しておけばよい。「ＳＴＥ」の場合、α＝＋５、「ＭＯＮＯ」の場合、α＝＋１０などと決めておけばよく、αはマイナスの値であってもよい。
【００６０】
音質設定の計算式の他に、表示目標数を下式、並びに下式におけるＭＩＮ及びＭＡＸの値の設定などにより、予め設定しておく。ここで、各表示数の設定値は「以上未満」とする。なお、下式をスピーチセンサマーク表示目標テーブル５２などとして格納しておけばよい。
【００６１】
ＭＩＮ＋（ＭＡＸ−ＭＩＮ）×変数［１〜９］÷９
【００６２】
上式において、ＭＡＸ及びＭＩＮは、上述した例でいうところの−１００〜＋１００の間の値として予め設定される最大値及び最小値であり、例えばＭＩＮを−８０、ＭＡＸを９０などと予め設定しておけばよい。さらに下式では、判定結果表示を１０段階（つまりＭＡＸ）で行うものとして、すなわち表示の個数の一例として図４のマーク３３が０〜１０個表示できるように予め設定されているものとして例示しているが、これに限ったものではない。
【００６３】
上述のごときテレビ受像機４におけるマイコン４４の処理は、図８を参照すると、まず、上述のごとく設定された周期での周期処理（例えば１００ｍｓ単位）を行う（ステップＳ１１）。ステップＳ１１では、処理周期の到来によって、以下のステップＳ１２〜Ｓ１６を実行させることになる。まずステップＳ１２では、動作設定が自動か否かを判定する。自動であれば、ステップＳ１３〜Ｓ１６の処理を実行してスピーチ／非スピーチ判定結果に基づく音質調整を実行することとなるが、自動でない（固定）の場合には以降の処理は実行せず、例えば強制的にスピーチ用の音質設定を行うなどすればよい。
【００６４】
ステップＳ１３では、マイコン４４は、音声処理ＩＣ４５に命令することでスピーチ性及びミュージック性の検出を行わせ、その検出結果を読み込む。次に或いはステップＳ１３の前段で、マイコン４４は、音声処理ＩＣ４５に命令することでモノラル／ステレオの判定を行わせ、その検出結果を読み込む（ステップＳ１４）。そして、マイコン４４は、読み取った音声処理ＩＣ４５における検出結果を、テーブル５１と比較することで計算式を選択する（ステップＳ１５）。ステップＳ１５では、スピーチ性検出結果及びミュージック性検出結果と「ＳＰＥＥＣＨ  ＬＰ」「ＳＰＥＥＣＨ  ＨＰ」「ＭＵＳＩＣ  ＬＰ」「ＭＵＳＩＣ  ＨＰ」を比較し計算式を決定することとなる。そして、マイコン４４は、テーブル５１上の該当する計算式を用い、モノラル／ステレオ判定結果を併せて代入して計算結果を算出し、スピーチ／非スピーチの判定結果（音質設定の計算結果）を算出してレジスタに書き込む（ステップＳ１６）。このレジスタの値が、図９のステップＳ２２での表示目標値の設定に使用される。
【００６５】
マイコン４４における表示処理は、まず、上述のごとく設定された周期での周期処理（例えば１００ｍｓ単位）を行う（ステップＳ２１）。ステップＳ２１では、処理周期の到来によって、以下のステップＳ２２〜Ｓ３２を実行させることになる。まず、ステップＳ２２では、図８で説明した処理の結果得られた判定結果のレジスタ値を上式（テーブル５２）に代入すること、すなわち音質設定（音質調整）による計算結果をテーブル５２に代入することで、表示目標値を設定、すなわち表示数を決定する。
【００６６】
ここで、同期無し時及び無音時は表示を即時に“０”とする（ステップＳ２３，Ｓ２４）。ステップＳ２３において、入力信号の同期の有無の判定及び無音状態の判定を行い、入力信号同期が無かった場合或いは無音状態であった場合、ステップＳ２４において「強制的に“０”」とする計算を行って、ステップＳ３０へ進む。無音状態の判定については他の実施形態で後述する。なお、ステップＳ２３の判断及びステップＳ２４における計算は、例えばユーザがニュース番組を視聴していて次に選曲によって砂嵐の画面が表示された場合などに有効である。このような場合、またスピーチ／非スピーチの判定結果としては例えばスピーチであるとの判定結果（例えばレジスタ値が＋１００）が徐々に０に落ちてはいくがレジスタに残ってしまっており、周期的な表示がそのレジスタ値（その残った値）を読み取って実行するようになっていることから、スピーチ／非スピーチの判定が実行できない砂嵐に対しても実行されているようにユーザが勘違いしてしまう。従って、このような勘違いを防止するために強制的にレジスタ値を０にする必要がある。
【００６７】
一方、ステップＳ２３でＮＯの場合、前周期の表示数がステップＳ２２で設定された表示目標値であるか否かを判定する（ステップＳ２５）。ステップＳ２５でＹＥＳの場合、その表示数を維持し（ステップＳ２６）、ステップＳ３０へ進む。ステップＳ２５でＮＯの場合、前周期の表示数がステップＳ２２で設定された表示目標値より小さいか否かを判定する（ステップＳ２７）。ステップＳ２７でＹＥＳの場合、「前周期の表示数＋１」の計算を実行し（ステップＳ２８）、ステップＳ３０へ進む。ステップＳ２７でＮＯの場合、「前周期の表示数−１」の計算を実行し（ステップＳ２９）、ステップＳ３０へ進む。
【００６８】
そして、ステップＳ２４，Ｓ２６，Ｓ２８，Ｓ２９の後、表示数を前周期の表示数に格納し（ステップＳ３０）、表示するか否かの判定を行って（ステップＳ３１）、表示すると判定された場合には画面に表示を行い（ステップＳ３２）、そうでない場合にはそのままこの周期での処理を終了して次の周期の到来を待つ。このように、マイコン４４では、ＲＯＭ内に格納されたテーブル５２を元に、上述のごとき周期処理及び計算がなされる。
【００６９】
次に、ステップＳ３１における判定に関して説明する。この判定は、デフォルト値或いはユーザ設定を読み取ることでなされる。ここで、ユーザ設定は、上述した調整設定手段並びに表示設定手段における設定がそれに相当し、次のような手順でなされる。まず、図１０に示すようにユーザメニュー一覧６１（映像調整，音声調整，本体設定，機能切替）を表示し、ユーザが音声調整を選択することで、音声調整に関する項目一覧６２（高音，低音，バランス，サラウンド，いきいきボイス，リセット）を表示する。ユーザが、その中から本発明に係る音質調整（「いきいきボイス」６２ａ）を選択することで、図１１或いは図１２のように、動作設定項目（調整設定手段における設定項目）６３及び表示設定項目６４（表示設定手段における設定項目）を表示する。
【００７０】
動作設定項目６３としては、例えば、本発明に係る音質調整を行わない設定に相当する「切」６３ａ、スピーチ／非スピーチの判定無しで或いは判定に依らずにスピーチ（又は非スピーチ）寄りの音質に調整するための設定に相当する「固定」６３ｂ、及び自動でスピーチ／非スピーチの判定並びにその判定結果に基づく音質調整を行う設定に相当する「自動」６３ｃを用意しておく。そして、「動作設定」が「自動」６３ｃの時にスピーチセンサマークを表示し、「固定」６３ｂ，「切」６３ａの時にはスピーチセンサマークを表示しない。なお、フローのように、「切」６４ａに設定されている時でもデータの読み取りを行っておくとよい。一方、表示設定項目６４としては、「表示なし」６４ａ及び「表示あり」６４ｂを用意しておき、「表示設定」が「表示あり」６４ｂの時だけ、スピーチセンサマークを表示する。勿論、設定周期（例えば１００ｍｓ単位）毎にデータを読み取って画面下部にスピーチセンサマークを表示すること自体を、「表示あり」６４ｂに設定されている時のみ実行してもよい。
【００７１】
上述のごとき構成及び処理により、本実施形態では、入力された音声信号に対してスピーチ／非スピーチを判定する際に、その判定結果をユーザに視認させることが可能となる。このような判定結果をユーザに視認させることによって、その判定結果に基づいて処理されている音質調整の正しい要因もユーザに把握させることが可能となる。また、その視認によって、さらなるユーザ設定も可能になる。また、スピーチ／非スピーチを判定する際にモノラル／ステレオ判定を行うことで、音声信号の音声情報だけからではなく番組（その音声信号を含む番組）の主旨に沿った判断（スピーチ／非スピーチの判断）も同時になすことで、入力された音声信号の特性によるイコライザ等の音響パラメータ制御の誤判定を極力低減し、的確な音響パラメータの制御及び的確な音質調整が可能となる。また、例えば、音声信号に音声情報と同時に重畳されたモノラル／ステレオ信号によってその番組の主旨を判定し、その結果に応じて入力された音声信号がスピーチか非スピーチ（音楽）かを判断するための判断基準を最適化することによって、放送された番組の内容、特性に応じたスピーチ／非スピーチ検出の自由な制御、及びその制御に基づく機器の制御（例えば音質調整や分別録画等）も可能になる。
【００７２】
また、本実施形態に係るコンテンツ表示装置では、例えば、スピーチ自動検出機能を使用し、ＴＶ番組やビデオ／ＤＶＤ等がスピーチ音声か非スピーチ音声かを視覚的に認識できる表示機能を備えることで、現在表示しているコンテンツがスピーチ音声か非スピーチ音声かをユーザに視覚的に認識させることが可能となる。すなわち、リアルタイムにＴＶ番組やビデオ／ＤＶＤ等の音声体系（スピーチ／非スピーチ）が視覚的にわかる。また、上述したスピーチ／非スピーチの判定をコンテンツの記録（再録画も含む）に適用してもよく、その場合には、コンテンツ表示装置に、コンテンツを放送経由，ネットワーク経由，記録媒体経由などで取得するだけでなく取得したコンテンツを記録或いは予約記録する機能を付加しておくとよい。例えば、各種レコーダなどでスピーチ／非スピーチ判定をＣＭ判定やその他の分別録画に利用することもでき、そのときに、併せてそのコンテンツがスピーチに相当するのか、或いは非スピーチに相当するのかをユーザに視認可能なように表示すればよい。
【００７３】
また、図１乃至図１２で上述した音質調整装置１やテレビ受像機４等のコンテンツ表示装置、さらにはそれらの構成要素となる各手段は、上述したように、ハードウェアで構成してもよいがその一部をソフトウェアで構成してもよい。例えば、図５のマイコンで示したようなコンピュータやＰＣ等の汎用コンピュータなどにプログラムを組み込むことで構成してもよく、その場合の各種処理について、図１３に示す一般的な情報処理装置の構成例を参照して説明する。図１３は、一般的な情報処理装置の構成例を示すブロック図で、図中、７は情報処理装置、７１はＣＰＵ（Ｃｅｎｔｒａｌ  Ｐｒｏｃｅｓｓｉｎｇ  Ｕｎｉｔ）、７２はＲＡＭ（Ｒａｎｄｏｍ  Ａｃｃｅｓｓ  Ｍｅｍｏｒｙ）、７３は書き換え可能なＲＯＭ、７４は入力装置、７５は表示装置、７６は出力装置、７７はバスである。
【００７４】
また、コンピュータを本発明に係る装置や各手段として機能させるためのプログラム、或いは各処理ステップをコンピュータに実行させるためのプログラムは、ＲＯＭ７３に蓄積されており、ＣＰＵ７１が読み出すことによって実行される。コンピュータ等に搭載される場合のこのプログラムは、上述の各手段としてコンピュータのＣＰＵ７１等を制御するプログラム（コンピュータを機能させるプログラム）である。本発明に係る装置や各手段で取り扱われる情報は、その処理時に一時的にＲＡＭ７２に蓄積され、その後、各種ＲＯＭ７３に格納され、必要に応じて、ＣＰＵ７１によって読み出し、修正・書き込みが行われる。ここで本発明に関連する情報としては、ユーザ選択された項目の情報や、閾値や入力装置７４の一つとしての音声信号入力手段によって入力され信号解析される時の音声信号などが挙げられる。また、例えばＲＯＭ７３に記憶された設定選択肢のうち設定された値をＲＡＭ７２に読み出すことでその設定をその間維持するようにしてもよい。
【００７５】
また、処理の途中経過や結果は、ＬＣＤ，ＰＤＰ，有機ＥＬ，ＣＲＴ等の表示装置７５を通して装置ユーザに提示され、ユーザ設定が必要な場合には、キーボード，マウス（ポインティングデバイス）等の入力装置７４から装置ユーザが処理に必要なパラメータを入力指定或いは選択入力すればよい（例えば入力する音声信号或いはそれを含むコンテンツの指定、各種ユーザ設定項目の選択など）。また、このプログラムは、装置ユーザが使用する際に容易となるように、表示装置７５用のグラフィカルユーザインターフェース（ＧＵＩ）を備えるようにするとよい。ＧＵＩの例は、図１０乃至図１２でも例示している。出力装置７６としては、音声信号の出力装置であるスピーカをはじめとして、ネットワークに接続して通信を行うためのネットワークボード等の通信機器や、その他、印刷装置等の出力デバイス用の出力装置がある。なお、ＣＰＵ７１，ＲＡＭ７２，ＲＯＭ７３，入力装置７４，表示装置７５，出力装置７６は、バス７７などで接続されていればよい。
【００７６】
また、上述のごときプログラムを記録した記録媒体としては、具体的には、ＣＤ−ＲＯＭ、光磁気ディスク、ＤＶＤ−ＲＯＭ、ＦＤ、フラッシュメモリ、及びその他各種ＲＯＭ（書き換え可能なＲＯＭも含む）やＲＡＭ等が想定でき、上述した本発明の各実施形態の機能をコンピュータに実行させるプログラムを、これら記録媒体に記録して流通させることにより、当機能の実現を容易にする。そして、コンピュータ等の情報処理装置に、上述のごとくの記録媒体を装着して情報処理装置によりプログラムを読み出すか、若しくは情報処理装置が備えている記録媒体に当プログラムを記憶させておき、必要に応じて読み出すことにより、本発明に係わる機能を実行することができる。
【００７７】
図１４は、本発明の他の実施形態に係る音質調整装置の一構成例を示すブロック図で、図中、８は音質調整装置、８０は音声信号入力手段、８１ａはミュージック性検出手段、８１ｂはスピーチ性検出手段、８２はスピーチ／非スピーチ判定手段、８３は有音／無音判定手段、８５は音質調整手段、８６は音声信号出力手段、８７は判定結果表示手段である。
【００７８】
本実施形態に係る音質調整装置８は、ミュージック性検出手段８１ａ、スピーチ性検出手段８１ｂ、スピーチ／非スピーチ判定手段８２、有音／無音判定手段８３、音質調整手段８５、音声信号出力手段８６、及び判定結果表示手段８７を備えるものとする。有音／無音判定手段８３は、音声信号入力手段８０で入力された音声信号が有音の状態か無音の状態かを判定する。音声信号入力手段８０では、その入力元や入力方法は問わない。また、有音／無音判定手段８３では、例えば入力音声信号の信号レベルを検出すること（所定レベル以上を有音とするなど）で、有音／無音のいずれの状態であるかを判定すればよい。なお、有音／無音判定手段８３は、その全体又は一部をハードウェアで構成してもソフトウェアで構成してもよい。
【００７９】
音質調整手段８５は、スピーチ／非スピーチ判定手段８２の判定結果（図１等で説明したものと同様）並びに有音／無音判定手段８３での判定結果に基づいて、音声信号を有音と無音とで異なる音質に設定し、その設定に基づいて音質を調整する。なお、音質調整手段８５は、その全体又は一部をハードウェアで構成してもソフトウェアで構成してもよい。そして、音質調整手段８５による無音時の音質設定は、有音／無音判定手段８３で無音と判定された直前の有音時の音質設定に基づき、その一部のみの変更により行う。例えば、無音の場合には所定の低域帯及び所定の高域帯の出力レベルを有音の場合に比べ１〜２ｄＢ下げるなどすればよい。一部のみの変更により、直前の有音時の設定値に近い設定値で調整することとなり、無音時から再度有音状態に移行した際、この状態が上記直前の有音時と近い信号レベルを持つ状態と想定されることから、設定値の変更が一部で済み、素早い復帰が可能となる。なお、この効果は、音質調整手段８５に基づく音質の設定をハードウェアで構成することでより顕著になる。そして、音声信号出力手段８６は、音質調整手段８５で調整された音声信号を出力する。
【００８０】
また、ミュージック性検出手段８１ａ、スピーチ性検出手段８１ｂ、及びスピーチ／非スピーチ判定手段８２については、図１で説明した通りであるが、ここではモノラル／ステレオ判定に基づく閾値の最適化を行わない例を示している。なお、モノラル／ステレオ判定によってスピーチ自動検出機能の判定基準を最適化させる方が、検出機能の精度を向上させることができる。また、計算式テーブル５１のαに相当するパラメータを有音／無音によって異ならしめるようにしてもよい。また、スピーチ／非スピーチ判定手段８２の代わりに、ＥＰＧ情報によってコンテンツの詳細な時系列の情報を取得するよう構成してもよく、その場合にはその取得した情報を元に判定結果表示も行うこととなる。また、スピーチ／非スピーチ判定手段８２の配置は、図１４で示したものに限らない。そして、この形態における音質調整手段８５は、スピーチ／非スピーチ判定手段８２における判定結果に基づいて、スピーチと非スピーチとで、上記一部のみの変更の値を異ならしめればよい。
【００８１】
ここでの音質設定の方法は任意であり、スピーチ／非スピーチにより、その設定値や増減の設定値、或いは各周波数帯での設定値などが異なっていればよい。例えば、グラフィックイコライザのごときイコライザの中心周波数とフィルタのＱ値が固定されている音質設定や、パラメトリックイコライザのごとくこれらも変更可能な音質設定であってもよいが、上述したように、基本的に有音から無音に移行した際の音質設定は直前の有音時のそれに一部変更したものとなる。さらに、上記一部のみの変更は、無音の場合には所定の低域帯及び所定の高域帯の出力レベルを有音の場合に比べ１〜２ｄＢ下げるなどとして例示したように、一部の周波数帯域で局所的に出力レベルを低減させる変更とすることが好ましい。
【００８２】
また、判定結果表示手段８７は、スピーチ／非スピーチ判定の結果をユーザに視認させるための手段であるが、同様に、有音／無音の判定結果をユーザに視認させるようにしてもよい。
【００８３】
図１５は、図１４の音質調整装置における音質調整処理の一例を説明するためのフロー図で、図１６は、図１４の音質調整装置における音質調整処理で用いる音質設定イコライジングの一例を示す図である。ここで、図１６（Ａ）はスピーチ時の例、図１６（Ｂ）は非スピーチ時の例を示している。
【００８４】
音質が基本音質に初期設定されているものとして説明する。また、音声信号からスピーチ／非スピーチを判定し、スピーチと判定されたときにはＡの音質に、非スピーチと判定されたときにはＢの音質に設定する例を中心に説明する。
【００８５】
まず、有音／無音判定手段８３で入力レベルを確認する（ステップＳ４１）。ここで、有音であればステップＳ４５へ、無音であれば基本音質を修正し（ステップＳ４２）、再度ステップＳ４１で入力レベルを確認する。ステップＳ４２では、ステップＳ４１での無音状態との判定が二度目以降の場合には、基本音質の修正を行わないようにしてもよく、この場合でなく再度修正する場合でもその設定は継続しておく。ステップＳ４１，Ｓ４２での処理は、音声信号が入力され、最初に音質が音質Ａ／Ｂのいずれかに設定される前の処理であり、その後はステップＳ４３以降の処理で設定の変更及び保持が遂行されていく。
【００８６】
次に、ミュージック性検出手段１１ａ及びスピーチ性検出手段１１ｂが、ミュージック性の検出及びスピーチ性の検出をに実行する（ステップＳ４３，Ｓ４４）。ステップＳ４３，Ｓ４４の順序は問わない。次に、スピーチ／非スピーチを判定する（ステップＳ４５）。なお、スピーチ／非スピーチにおける判定基準は、ある１つの閾値処理によってなされても複数パラメータの閾値処理によってなされてもよい。ステップＳ４５の判定に基づいて、音質の設定・調整を行う（ステップＳ４６，Ｓ４７）。この音質設定では、スピーチと判定されたときにはＡの音質を選択して音質を調整し（ステップＳ４６）、非スピーチと判定されたときにはＢの音質を選択して音質を調整する（ステップＳ４７）。
【００８７】
ここで、音質設定Ａと音質設定Ｂとの違いの例について、図１６を参照して説明する。音質設定Ａ（スピーチ）の場合、イコライザの周波数特性をグラフ９１で示すように設定し、音質設定Ｂ（非スピーチ）の場合、イコライザの周波数特性をグラフ９３で示すように設定する。グラフ９１とグラフ９３との違いは、非スピーチのとき、スピーチのときの所定の低周波数９１ａの付近及び所定の高周波数９１ｂの付近の出力レベルに比べて、所定の低周波数９３ａの付近及び所定の高周波数９３ｂの付近の出力レベルを強調している点にある。
【００８８】
ステップＳ４６，Ｓ４７の処理では、この選択した音質を保持しておき、次にステップＳ４８において、その元となったスピーチ／非スピーチの判定結果の表示を行う。そして、有音／無音判定手段８３で入力レベルを確認する（ステップＳ４９）。ここで、有音であれば処理を終了し、無音であれば音質の調整を行う。ここで行われる音質の調整は、音質をそれぞれの前の状態に合わせて修正する（ステップＳ５０）。設定保持されている音質（無音になる前の音質）が、音質Ａであった場合には図１６（Ａ）のグラフ９２のごとき音質Ａ′、音質Ｂであった場合には図１６（Ｂ）のグラフ９４のごとき音質Ｂ′に修正する。スピーチ時のグラフ９２とグラフ９１との違いは、所定の低周波数９１ａの付近及び所定の高周波数９１ｂの付近を強調している点にある。同様に、非スピーチ時のグラフ９４とグラフ９３との違いは、所定の低周波数９３ａの付近及び所定の高周波数９３ｂの付近を強調している点にある。本実施形態では、音質Ａ′，Ｂ′のように、スピーチ自動検出機能使用時に、有音時の音質設定Ａ，Ｂの他に、無音状態用の音質設定、すなわち音声入力信号が無い時、若しくは入力信号が小さい（バックグランドノイズ）時の音質設定を設けておく。
【００８９】
次に、無音状態から有音状態へ復帰したかを判定する（ステップＳ５１）。復帰せず、無音のままであればそのときの設定（音質パラメータなど）は変更せずに継続しておき、有音状態への復帰を待つ。一方、復帰した場合には、音質Ａ′又は音質Ｂ′を、有音時の音質設定Ａ又はＢに戻し（ステップＳ５２）、処理を終了する。
【００９０】
以上、本実施形態のごとき有音／無音判定を実行することにより、次のような従来技術の課題を解決することができる。すなわち、従来技術では、音声情報だけから音楽情報の是非を判断することによって生ずるこのような誤判定によって的確な音質調整を行うことが困難であるだけでなく、音声信号が無音の信号や入力レベルが小さい信号であった場合には、スピーカから低高域ノイズが出力される。このような事態を解消するために、信号レベルが０或いは小さいときには入力信号をシャットアウトするような音質調整を行うように機器を構成した場合であっても、信号レベルが上がり音声が復帰したときに的確で素早い音質設定ができない。このような現象は、記録媒体のローディング時、外部入力との切り替え時、視聴するコンテンツがスピーチ時から非スピーチ時への切り替え時、受信するチャンネルの切り替え時、さらにはＣＭからの本編への移行時など、急激に信号レベルの大小が切り替わるような音声信号に対しては、特に問題となる。
【００９１】
すなわち、本実施形態に係る音質調整装置によれば、無音時にスピーカから低高域ノイズが出力されるのを削減すると共に、前の状態に近い状態で音質設定をすることによって、音声復帰時の素早い対応（音質設定）が可能となる。つまり、この音質調整装置では、入力レベルが急激に切り替わるような音声信号に対しても、無音時のノイズ出力を的確に低減し且つ有音状態に素早く復帰するような音質設定を行うことが可能となる。
【００９２】
本実施形態によれば、このような効果に加え、音声信号の音声情報だけからではなく番組（その音声信号を含む番組）の主旨に沿った判断（スピーチ／非スピーチの判断）も同時になすことで、入力された音声信号の特性によるイコライザ等の音響パラメータ制御の誤判定を極力低減し、的確な音響パラメータの制御及び的確な音質調整が可能となり、さらに、本発明の主たる効果として、入力された音声信号に対してスピーチ／非スピーチを判定する際にその判定結果をユーザに視認させることが可能となる。例えば、音声信号に音声情報と同時に重畳されたモノラル／ステレオ信号によってその番組の主旨を判定し、その結果に応じて入力された音声信号がスピーチか非スピーチ（音楽）かを判断するための判断基準を最適化することによって、放送された番組の内容、特性に応じたスピーチ／非スピーチ検出の自由な制御、及びその制御に基づく音質調整、並びにユーザへの検出結果の提示が可能になる。
【００９３】
また、図１４乃至図１６で上述した音質調整装置８も、図１等で示した音質調整装置と同様に、コンテンツ表示装置に組み込むことも可能である。また、その音質調整装置８又はコンテンツ表示装置における構成要素となる各手段もハードウェアで構成してもよいがその一部をソフトウェアで構成してもよい。ＰＣ（パーソナルコンピュータ）等の汎用コンピュータなどにプログラムを組み込むことで構成した例、並びにそのプログラムを記録したコンピュータ読み取り可能な記録媒体の例も、図１３を参照して説明した通りであるが、ＲＯＭに格納されているプログラムが異なる。このプログラムは、上述した各手段に対応する処理ステップ、すなわち有音／無音判定ステップ、スピーチ／非スピーチ判定ステップ、音質調整ステップ、及びスピーチ／非スピーチ判定に基づく判定結果表示ステップとを、コンピュータに実行させるためのプログラムである。そして、音質調整ステップにおける無音時の音質設定は、有音／無音判定ステップで無音と判定された直前の有音時の音質設定に基づき、その一部のみの変更により行う。また、音質調整を音質調整器（ハードウェア）によって実行させる場合の音質調整ステップは、音声信号を音質設定に基づき音声信号の音質を音質調整機器に調整させるための制御を行うステップとなる。
【符号の説明】
【００９４】
１，８…音質調整装置、４…テレビ受像機、７…情報処理装置、１０，８０…音声信号入力手段、１１ａ，８１ａ…ミュージック性検出手段、１１ｂ，８１ｂ…スピーチ性検出手段、１２，８２…スピーチ／非スピーチ判定手段、１３…モノラル／ステレオ判定手段、１４…基準最適化手段、１４ａ…スイッチ、１４ｂ…閾値ＶＳＬ１への設定手段、１４ｃ…閾値ＶＳＬ２への設定手段、１５，８５…音質調整手段、１６，８６…音声信号出力手段、、１７，８７…判定結果表示手段４０…チューナ部、４１…外部入力部、４２…本体操作部、４３…映像処理ＩＣ、４４…マイコン、４５…音声処理ＩＣ、４６…ディスプレイ、４７Ｌ，４７Ｒ…スピーカ、４８…受光部、４９…リモコン、７１…ＣＰＵ、７２…ＲＡＭ、７３…書き換え可能なＲＯＭ、７４…入力装置、７５…表示装置、７６…出力装置、７７…バス、８３…有音／無音判定手段。
【図１】
2010231241.tif 000003
【図２】
2010231241.tif 000004
【図３】
2010231241.tif 000005
【図４】
2010231241.tif 000006
【図５】
2010231241.tif 000007
【図６】
2010231241.tif 000008
【図７】
2010231241.tif 000009
【図８】
2010231241.tif 000010
【図９】
2010231241.tif 000011
【図１０】
2010231241.tif 000012
【図１１】
2010231241.tif 000013
【図１２】
2010231241.tif 000014
【図１３】
2010231241.tif 000015
【図１４】
2010231241.tif 000016
【図１５】
2010231241.tif 000017
【図１６】
2010231241.tif 000018